(57)【要約】【課題】建屋内の空気中の有害物質や臭いを除去すると同時に加湿を行うことにより快適な居住環境を形成して健康な生活を営むことができる建屋を提供する。【解決手段】建屋本体１には、一階床下空間１２に連通し吸気ファン装置２３に接続した外気吸入口１９と、外気吸入口１９から離間して排気口２２が設けてある。建屋本体１内に設けた通気口２０によって一階居住空間１３は一階床下空間１２と、二階居住空間１５は一階天井裏空間１４と連通している。微多孔質炭化物からなる浄化用吸着体２６が一階床下空間１２にはコンクリート基礎２上に面状に設けてあり、一階天井裏空間１４には通気性収納袋に充填し、二階床部１０に吊下することにより設けてある。各通気口２０には空気改質用トレー２８が着脱可能に設けてあり、空気改質用トレー２８には室内加湿用の水が貯えてある。【選択図】図１
0003121941.tif 000002
【実用新案登録請求の範囲】
【請求項１】
高気密に構成した建屋本体と、該建屋本体の床下に設置し、外気を建屋本体内に強制導入する換気装置と、前記建屋本体に設けられ、室内の空気を屋外に排出するための排気口と、前記建屋本体に設けられ、前記換気装置により供給される外気を室内に吹出す通気口とから構成してなる高気密型建屋において、流動する前記外気と接触する状態で前記通気口に空気改質物質を収納する空気改質用トレーを着脱可能に設けたことを特徴とする空気改質型建屋。
【請求項２】
前記空気改質用トレーは、上方が多孔の蓋体によって施蓋可能に開放し、内部が収容部となったトレー本体と、該トレー本体の側面に形成した通気穴と、前記トレー本体に設けられ、前記通気口の口縁に係止する係止部とから構成してあることを特徴とする請求項１記載の空気改質型建屋。
【請求項３】
前記建屋本体の床下に浄化用吸着体を配設したことを特徴とする請求項１記載の空気改質型建屋。
【請求項４】
前記建屋本体は複層階に構成し、下層階の天井部と上層階の床部との間に浄化用吸着体を配設したことを特徴とする請求項１記載の空気改質型建屋。
【請求項５】
前記空気改質用トレー内に吸湿材を配置したことを特徴とする請求項１記載の空気改質型建屋。
【請求項６】
前記床下及び／又は空気改質用トレーにマイナスイオン発生体を配設したことを特徴とする請求項１記載の空気改質型建屋。
【考案の詳細な説明】
【技術分野】
【０００１】
本考案は、シックハウス症候群の発生原因を除去すると共に住宅の過乾燥を抑制し、快適な居住空間を確保できるようにした空気改質型建屋に関する。
【背景技術】
【０００２】
近年、新築家屋の入居者に、目が痛む、頭痛や吐き気がするといった症状を訴える事例が増加していることが問題になっている。その原因は、主に建築資材や家具に使用されている合板や壁紙に含浸させたり、或いは塗着してある接着剤や塗料、防腐剤等に含まれている揮発性の有機化合物であるホルムアルデヒド、トルエン、キシレン、エチルベンゼン等が考えられている。他方、暖房のために住宅の気密性が高くなった結果、上記有機化合物が外部に放出されずに家屋内に長期間滞留し、また暖房性能の向上により室温が高くなって有機化合物が揮発し易いこと等によって、高濃度になることがシックハウス症候群の発生を助長していると云われている。そこで、平成１５年７月に「シックハウス新法」が制定され、家庭内の化学物質の汚染濃度を低減させるために新築家屋内において２４時間運転の換気装置の設置が義務化されたが、冬季は外気導入により室内が乾燥状態になるという問題がある。これは冬季の外気が快適な室温まで上昇したときに相対湿度が低下するためである。
【考案の開示】
【考案が解決しようとする課題】
【０００３】
上述した室内の過乾燥を防ぐためには、加湿機を設置するという方法があるが、電力の確保や設置場所の選定を強いられるのが実情である。また、断熱パネル設置型の加湿器などが存在しているが、換気経路に直接触れていないため効果的な加湿には結び付いていない。
【０００４】
本考案は上述した従来技術の欠点を鑑みなされたもので、家屋内の有機化合物を速やかに除去し、また建屋内の空気中の有害物質や臭いを除去すると同時に加湿を行うことにより快適な居住環境を形成して健康な生活を営むことができるようにした空気改質型建屋を提供することを目的とする。
【課題を解決するための手段】
【０００５】
上記課題を解決するために構成した本考案の手段は、高気密に構成した建屋本体と、該建屋本体の床下に設置し、外気を建屋本体内に強制導入する換気装置と、前記建屋本体に設けられ、室内の空気を屋外に排出するための排気口と、前記建屋本体に設けられ、前記換気装置により供給される外気を室内に吹出す通気口とから構成してなる高気密型建屋において、流動する前記外気と接触する状態で前記通気口に空気改質物質を収納する空気改質用トレーを着脱可能に設けたことにある。
【０００６】
そして、前記空気改質用トレーは、上方が多孔の蓋体によって施蓋可能に開放し、内部が収容部となったトレー本体と、該トレー本体の側面に形成した通気穴と、前記トレー本体に設けられ、前記通気口の口縁に係止する係止部とから構成するとよい。
【０００７】
また、前記建屋本体の床下に浄化用吸着体を配設するとよい。
【０００８】
また、前記建屋本体は複層階に構成し、下層階の天井部と上層階の床部との間に浄化用吸着体を配設するとよい。
【０００９】
また、前記空気改質用トレー内に吸湿材を配置するとよい。
【００１０】
更に、前記床下及び／又は空気改質用トレーにマイナスイオン発生体を配設するとよい。
【考案の効果】
【００１１】
本考案は上述の構成にしたから、以下の諸効果を奏する。
（１）水その他の空気改質物質を収納する空気改質用トレーを外気の流動経路に設ける構成にすることにより、建屋内に流入する外気を加湿、浄化或いはマイナスイオン化して居住空間に流動させるようにしたから、効率よくかつ効果的に居住空間の空気の改質を行うことができ、建屋を快適な状態にすることができる。
（２）空気改質用トレーは、居住空間の床に設けられて外気を室内に吹出す通気口に着脱可能に設けてあるから、空気改質のための電源動力を必要とせず経済性に優れており、また、手入れが容易であり清潔に保つことができる。
（３）建屋本体の床下及び下層階の天井部と上層階の床部の間に浄化用吸着体を配設し、導入される外気を浄化用吸着体に接触させて浄化し、全室に流動させるようにしたから、建屋内に放散される有機化合物の濃度を速やかに低減し、除去することができるため、建屋を健康維持に好適な状態にすることができる。
（４）空気改質用トレー内に吸湿材を配置することにより、長期的に安定した水分放出を行うことができる。
（５）空気改質用トレー内にマイナスイオン発生体を収容することにより、外気の供給、加湿と同時にマイナスイオンを建屋内に供給することができ、マイナスイオン効果により居住者の健康の維持、改善を図ることができる。
【考案を実施するための最良の形態】
【００１２】
以下、本考案の実施の形態を図面に基き説明する。図１乃至図４は本考案の第１の実施の形態を示す。図１において、１は建屋本体を示す。２は該建屋本体１を構成するコンクリート基礎、３は該コンクリート基礎２の外面に配設した断熱材、４は該基礎２上に構築した躯体で、該躯体４は柱４Ａ、梁４Ｂ、屋根４Ｃ等から構成してある。そして、該躯体４に一階床部５、仕切り壁部６、外壁部７、７、・・、ドア８、一階天井部９、二階床部１０、二階天井部１１を夫々設けることにより一階床下空間１２、一階居住空間１３、一階天井裏空間１４、二階居住空間１５、ユニットバス１６の収容空間１７が建屋本体１内に形成してある。そして、該収容空間１７にユニットバス１６を収容することにより、ユニットバス１６と仕切り壁部６との間にユニットバスの熱の影響、結露を防止するための遮断空間１８が形成してある。なお、建屋本体１は複数枚の図示しない気密シートを全体に張着することにより気密状態に保持してある。気密シートで気密状態が保持されない箇所は開閉可能な窓及び玄関ドア、後述する外気吸入口１９及び排気口２２である。
【００１３】
１９は外壁部７に開口形成した外気吸入口を示す。２０、２０、・・は、各部屋に連通して外気流路を形成するために一階床部５、二階床部１０に夫々設けた通気口、２１は該通気口２０の口縁に設けられ、後述する空気改質用トレー２８を支持するための受け用金具、２２は外気吸入口１９から離間させて二階居住空間１５の外壁部７に設けた排気口を示す。このようにして、建屋本体１内には、外気吸入口１９から床下空間１２に進入した外気が通気口２０、ドア８と一階床部５及び二階床部１０との間に形成される多数の隙間、図示しない階段を介して排気口２２から屋外に放出される流路が形成されている。
【００１４】
２３は外気吸入口１９に連通して一階床下空間１２に設置した押込み型の吸気ファン装置で、該吸気ファン装置２３は外気吸入口１９に接続した断熱保温パイプ２３Ａと、該断熱保温パイプ２３Ａに接続され、モーターにより回転駆動するファンを有する換気ユニット２３Ｂとから構成してあり、外気を吸引して一階床下空間１２に放出するようになっている。２４は前記換気ユニット２３Ｂの外気放出側に設けたヒーターで、吸引した冷たい外気を加温するためのものである。２５は前記通気口２０の斜め上方に位置するよう各居住空間１３，１５の仕切り壁６、外壁部７に設けた熱源としてのパネルヒータであり、各居住空間１３、１５内を加温するためのものである。
【００１５】
２６は浄化用吸着体を示す。該浄化用吸着体２６は例えば、木炭等の微多孔質炭化物からなり、一階床下空間１２においてはコンクリート基礎２上に面状に広げて設けてある。また、一階天井裏空間１４においては、浄化用吸着体２６は布袋等の通気性収納袋２７に充填して二階床部１０に吊下した状態で支持してある。これは浄化用吸着体２６が一階天井部９に接触しないように離間させるためと、流動する外気が浄化用吸着体２６に接触する面積を最大限確保するためである。
【００１６】
２８は、前記一階床部５及び二階床部１０に設けた通気口２０に着脱可能に設けた空気改質用トレーを示す。２９は該空気改質用トレー２８を構成するステンレス板等の金属板、合成樹脂材からなるトレー本体で、該トレー本体２９は上方が開口した有底の箱型に形成し、内部に水を収容することができる収容部２９Ａと、側面板の上側に横方向に長尺に形成した通気穴２９Ｂと、側面板の上端から横方向に張出して形成され、前記通気口２０の口縁に設けた受け用金具２１に係止する係止部２９Ｃとから構成してある。３０は全面に複数の通気孔３０Ａを有し、前記トレー本体２９の開口に嵌合するステンレス板等の金属板からなる蓋体である。
【００１７】
なお、空気改質用トレー２８は、収容部２９Ａの底面に吸湿材シート３１を配置することにより収容する水の量を増量させ、長期的に安定した水分放出を行うようにすることができる。本実施の形態では、吸湿材シート３１として吸水性高分子ポリマーを用いている。
【００１８】
本実施の形態は上述の構成からなっており、次にその作用について説明する。
吸気ファン装置２３によって外気吸入口１９から一階床下空間１２に吸入した外気はヒーター２４により温められた後、一階床下空間１２から一階床部５の各通気口２０に設けた空気改質用トレー２８に流入し、通気穴２９Ｂから水が貯めてある収容部２９Ａに流動し、蓋体３０の通気孔３０Ａから一階居住空間１３内に流入する。それと同時に、外気は一階床下空間１２から遮断空間１８を通り一階天井裏空間１４に流動し、二階床部１０の各通気口２０に設けた空気改質用トレー２８の通気穴２９Ｂから水が貯めてある収容部２９Ａに流入し、蓋体３０の通気孔３０Ａから二階居住空間１５内に流入する。このように外気が空気改質用トレー２８内を通過することにより、外気を効率よく加湿した状態にして、各居住空間１３、１５に流動させることができる。
【００１９】
さらに、外気及び各居住空間内１３、１５の空気は一階床下空間１２及び一階天井裏空間１４に配置した浄化用吸着体２６に接触することにより臭い、有機化合物等は吸着除去されて浄化される。そして、外気は各居住空間１３、１５のドアと床との隙間や階段を流れて、各居住空間１３、１５を流動し、各室内の空気と混合して、建屋本体１内を循環しながら徐々に排気口２２から屋外に排出される。この間に、建築当初には建屋本体１内に充満している有機化合物を浄化用吸着体２６が速やかに吸着することによって除去し、また吸着されなかった有機化合物を屋外に排出することができる。
【００２０】
図５乃至図６は本考案の第２の実施の形態を示す。なお、本実施の形態において、第１の実施の形態の構成要素と同一の構成要素には同一の符号を付して援用し、その説明を省略する。図において、４１は空気改質用トレーを示す。該空気改質用トレー４１はトレー本体２９と、上面が開口した箱型に形成され、収容部２９Ａ内に設けられた収容容器４２とから構成してあり、該収容容器４２にはマイナスイオン発生体４３を収容するようになっている。収容容器４２は高さを前記トレー本体２９の高さよりも低く形成することにより、収容部２９Ａに流入する外気が該収容容器４２内のマイナスイオン発生体４３に接触することができるようにしてある。なお、マイナスイオン発生体４３は一階床下空間１２及び一階天井裏空間１４に配設してもよい。本実施の形態ではマイナスイオン発生体４３としてトルマリンを用いている。
【００２１】
本実施の形態によれば、浄化用吸着体２６により浄化された外気は、一階床下空間１２、遮断空間１８、一階天井裏空間１４内を流動し、通気口２０に設けた空気改質用トレー４１の通気穴２９Ｂから水が貯めてある収容部２９Ａに流入し、収容容器４２内のマイナスイオン発生体４３に接触し、蓋３０の通気孔３０Ａから一階居住空間１３、二階居住空間１５に流入する。これにより、各居住空間１３、１５内の空気を加湿すると同時に各居住空間にマイナスイオンを供給することができる。
【図面の簡単な説明】
【００２２】
【図１】図１乃至図４は本考案の第１の実施の形態に係り、図１は建屋の縦断面図である。
【図２】空気改質トレーの一部を破断した外観斜視図である。
【図３】通気口に空気改質トレーを設けた状態の建屋の部分縦断面図である。
【図４】通気口に空気改質トレーを設けた状態の建屋の室内の外観斜視図である。
【図５】図５乃至図６は第２の実施の形態に係り、図５は空気改質トレーの外観斜視図である。
【図６】通気口に空気改質トレーを設けた状態の建屋の部分縦断面図である。
【符号の説明】
【００２３】
１      建屋本体
１２    一階床下空間
１４    一階天井裏空間
２０    通気口
２２    排気口
２３    吸気ファン装置
２６    浄化用吸着体
２８    空気改質用トレー
２９    トレー本体
２９Ａ  収容部
２９Ｂ  通気穴
２９Ｃ  係止部
３０    蓋体
３０Ａ  通気孔
３１    吸湿材
４１    空気改質用トレー
４３    マイナスイオン発生体
【図１】
0003121941.tif 000003
【図２】
0003121941.tif 000004
【図３】
0003121941.tif 000005
【図４】
0003121941.tif 000006
【図５】
0003121941.tif 000007
【図６】
0003121941.tif 000008